(57)【要約】【課題】品質が優れているとの印象を購買者や使用者に適切に与えることができる使い捨ておむつを提供することにある。【解決手段】液体を吸収する吸収体を有する使い捨ておむつであって、製造国を示す表示が視認可能に配置されていることを特徴とする。【選択図】図１
2016221236.tif 000002
【特許請求の範囲】
【請求項１】
液体を吸収する吸収体を有する使い捨ておむつであって、
製造国を示す表示が視認可能に配置されていることを特徴とする使い捨ておむつ。
【請求項２】
請求項１に記載の使い捨ておむつであって、
長手方向と、前記長手方向と交差する幅方向と、を有し、
前記使い捨ておむつを、前記長手方向における前記使い捨ておむつのおむつ中央よりも前側の前側領域と該おむつ中央よりも後側の後側領域とに分けたときに、
テープ部材が前記前側領域と前記後側領域のどちらか一方の領域に固定されており、
該一方の領域に前記表示が前記使い捨ておむつの表側から視認可能に設けられていることを特徴とする使い捨ておむつ。
【請求項３】
請求項２に記載の使い捨ておむつであって、
前記テープ部材が前記一方の領域に固定部にて固定されており、
前記固定部の前記長手方向における中央から、
前記一方の領域に属する胴回り部の前記長手方向における端まで、
の前記長手方向における距離を第一距離とした際に、
前記表示の前記長手方向における位置は、前記中央から前記第一距離までの範囲にあることを特徴とする使い捨ておむつ。
【請求項４】
請求項３に記載の使い捨ておむつであって、
前記表示の前記長手方向における位置は、前記固定部の前記長手方向における一端と他端との間にあることを特徴とする使い捨ておむつ。
【請求項５】
請求項２乃至請求項４のいずれかに記載の使い捨ておむつであって、
前記テープ部材はファスニングテープであり、
前記ファスニングテープが固定されるフラップ部を備え、
前記フラップ部は、長手方向に沿った最外縁部を有し、
前記表示の前記長手方向における位置は、前記最外縁部の前記長手方向における一端と他端との間にあることを特徴とする使い捨ておむつ。
【請求項６】
請求項２乃至請求項４のいずれかに記載の使い捨ておむつであって、
前記テープ部材はファスニングテープであり、
前記ファスニングテープが固定されるフラップ部を備え、
前記使い捨ておむつの股下部における最狭部の外端と前記フラップ部の最外端の前記幅方向における真ん中位置を通り前記長手方向に平行な仮想線を引いた際に、該仮想線が前記フラップ部の外縁部と交わる四点を結んで構成される矩形状領域に、前記表示が設けられていることを特徴とする使い捨ておむつ。
【請求項７】
請求項２乃至請求項６のいずれかに記載の使い捨ておむつであって、
伸縮部材を有し、
前記表示は、前記伸縮部材と重なる位置に設けられていることを特徴とする使い捨ておむつ。
【請求項８】
請求項１に記載の使い捨ておむつであって、
長手方向と、前記長手方向と交差する幅方向と、を有し、
前記使い捨ておむつを、前記長手方向における前記使い捨ておむつのおむつ中央よりも前側の前側領域と該おむつ中央よりも後側の後側領域とに分けたときに、
前記後側領域に一対のファスニングテープが固定部にて固定され、かつ、前記前側領域にターゲットテープが設けられており、
前記ファスニングテープは、前記固定部と前記ターゲットテープと係合する係合部とを備え、
前記表示は、
前記前側領域に、前記使い捨ておむつの表側から視認可能に設けられており、かつ、
前記係合部の前記長手方向における中央が前記ターゲットテープの前記長手方向における中央に一致するように、かつ、前記一対のファスニングテープの先端が互いに接触するように、前記係合部を前記ターゲットテープに係合させた際に、前記一対のファスニングテープにより覆われず、かつ、前記長手方向において前記係合部と前記おむつ中央の間であって前記おむつ中央よりも前記係合部に近い側に設けられていることを特徴とする使い捨ておむつ。
【請求項９】
請求項１に記載の使い捨ておむつであって、
長手方向と、前記長手方向と交差する幅方向と、を有し、
前記使い捨ておむつを、前記長手方向における前記使い捨ておむつのおむつ中央よりも前側の前側領域と該おむつ中央よりも後側の後側領域とに分けたときに、
前記後側領域にファスニングテープが固定され、
前記表示は、前記後側領域に、前記使い捨ておむつの裏側から視認可能に設けられており、
前記表示の前記幅方向における位置は、前記吸収体の前記幅方向における一端と他端との間にあることを特徴とする使い捨ておむつ。
【請求項１０】
請求項１に記載の使い捨ておむつであって、
長手方向と、前記長手方向と交差する幅方向と、を有し、
前記長手方向に伸縮するレッグギャザーが該長手方向に沿って備えられており、
前記表示の前記長手方向における位置は、前記レッグギャザーの前記長手方向における端よりも、前記使い捨ておむつのおむつ中央から前記長手方向において遠い側にあることを特徴とする使い捨ておむつ。
【請求項１１】
請求項１乃至請求項１０のいずれかに記載の使い捨ておむつであって、
前記表示は、前記吸収体と重なる位置に設けられていることを特徴とする使い捨ておむつ。
【請求項１２】
請求項１に記載の使い捨ておむつであって、
長手方向と、前記長手方向と交差する幅方向と、を有し、
前記幅方向に伸縮部材が連続して設けられた伸縮域と、前記伸縮部材が設けられていないか、又は、前記幅方向に前記伸縮部材が非連続に設けられた非伸縮域又は弱伸縮域とが、前記長手方向における所定範囲に備えられており、
前記非伸縮域又は弱伸縮域は、前記幅方向における中央部、かつ、前記吸収体と重なる位置に位置し、
前記伸縮域は、前記幅方向における両端部に位置し、
前記表示は、前記非伸縮域又は弱伸縮域に設けられていることを特徴とする使い捨ておむつ。
【請求項１３】
請求項１乃至請求項１２に記載の使い捨ておむつであって、
前記吸収体は、穴部又は凹部からなり、前記使い捨ておむつの変形を誘導する変形誘導部を備えており、
前記表示は、前記変形誘導部と重ならない位置に設けられていることを特徴とする使い捨ておむつ。
【請求項１４】
請求項１乃至請求項１３のいずれかに記載の使い捨ておむつであって、
前記表示は不織布により覆われており、前記表示と前記不織布とは接着剤により接着されていることを特徴とする使い捨ておむつ。
【請求項１５】
請求項１乃至請求項１４のいずれかに記載の使い捨ておむつであって、
長手方向と、前記長手方向と交差する幅方向と、前記長手方向及び前記幅方向と交差する厚み方向と、を有し、
前記製造国を示す表示とは異なる模様が記されたシート部材を有し、
前記シート部材よりも前記厚み方向において前記使い捨ておむつの表面側に設けられた部材に前記表示が記されていることを特徴とする使い捨ておむつ。
【請求項１６】
請求項１乃至請求項１５のいずれかに記載の使い捨ておむつであって、
水分と接触すると色が変化するインジケーターを有し、
前記表示の色は、インジケーターの変化前後のいずれかの色と類似色であり、該類似色の程度が、オスワルド色相環によって分類された２４色の色票で、同じ色票であるか色相番号が１つだけずれた範囲のものであることを特徴とする使い捨ておむつ。
【請求項１７】
請求項１乃至請求項１６のいずれかに記載の使い捨ておむつであって、
前記製造国を示す表示とは別に前記使い捨ておむつのブランド名又は製造会社名を示す表示が視認可能に配置されており、
前記製造国を示す表示とブランド名又は製造会社名を示す表示との間で、
表示領域、色、双方の表示が文字である場合には、字の大きさ、字体、のいずれかが異なることを特徴とする使い捨ておむつ。
【発明の詳細な説明】
【技術分野】
【０００１】
本発明は、使い捨ておむつに関する。
【背景技術】
【０００２】
液体を吸収する吸収体を有する使い捨ておむつは既によく知られている。このような使い捨ておむつは、新生児から大人（要介護者等）まで幅広い年代層に用いられている。
【先行技術文献】
【特許文献】
【０００３】
【特許文献１】特表２０１２−５０７３３７号公報
【発明の概要】
【発明が解決しようとする課題】
【０００４】
使い捨ておむつの品質が優れているとの印象を、当該使い捨ておむつの購買者や使用者に与えることは重要である。このような印象を購買者等に与えれば、購買者等は安心して使い捨ておむつを使用できる。
【０００５】
本発明は、上記のような問題に鑑みてなされたものであって、その目的とするところは、品質が優れているとの印象を購買者や使用者に適切に与えることができる使い捨ておむつを提供することにある。
【課題を解決するための手段】
【０００６】
上記目的を達成するための主たる発明は、液体を吸収する吸収体を有する使い捨ておむつであって、
製造国を示す表示が視認可能に配置されていることを特徴とする使い捨ておむつである。
【０００７】
本発明の他の特徴については、本明細書及び添付図面の記載により明らかにする。
【発明の効果】
【０００８】
本発明によれば、品質が優れているとの印象を購買者や使用者に適切に与えることができる使い捨ておむつを提供することが可能となる。
【図面の簡単な説明】
【０００９】
【図１】本実施の形態に係るおむつ１の展開状態の平面図である。
【図２】図２Ａ〜図２Ｃは、本実施の形態に係るおむつ１の各部の分解説明図である。図２Ａは、前部３の分解説明図である。図２Ｂは、股下部５の分解説明図である。図２Ｃは、後部７の分解説明図である。
【図３】製造国表示の例を示した図である。
【図４】製造国表示の第一位置（第一態様）を示した概念図である。
【図５】操作者がおむつ１を片付ける（処分する）ためにファスニングテープ３０を操作しておむつ１を丸めたときのおむつ１の状態を示した図である。
【図６】製造国表示の第二位置（第二態様）を示した概念図である。
【図７】製造国表示の第三位置（第三態様）を示した概念図である。
【図８】製造国表示の第四位置（第四態様）を示した概念図である。
【図９】製造国表示の第五位置（第五態様）を示した概念図である。
【図１０】製造国表示の第六位置（第六態様）を示した概念図である。
【図１１】製造国表示の第七位置（第七態様）を示した概念図である。
【図１２】製造国表示の第八位置（第八態様）を示した概念図である。
【図１３】製造国表示の第九位置（第九態様）を示した概念図である。
【図１４】パンツ型おむつ１０１の展開平面図である。
【図１５】パンツ型おむつ１０１の斜視イメージ図である。
【図１６】後処理テープ１７０の断面模式図である。
【図１７】製造国表示の第十位置（第十態様）を示した概念図である。
【図１８】製造国表示の第十一位置（第十一態様）を示した概念図である。
【図１９】製造国表示の第十二位置（第十二態様）を示した概念図である。
【図２０】製造国表示の第十三位置（第十三態様）を示した概念図である。
【図２１】吸収体２１に設けられた変形誘導部２１ａを示した概念図である。
【図２２】製造国表示と不織布製のバックシート２４とが接着剤により接着されている様子を示した概念図である。
【図２３】模様が記された防漏シート２３よりも製造国表示を設けるためのシート状タグ２７が表面側に位置する様子を示した概念図である。
【図２４】製造国表示の色がインジケーターの変化前後のいずれかの色と類似色である様子を示した概念図である。
【図２５】製造国表示と製造会社名表示との間で、表示領域、色、字の大きさ、字体が異なる様子を示した概念図である。
【発明を実施するための形態】
【００１０】
本明細書及び添付図面の記載により、少なくとも以下の事項が明らかとなる。
【００１１】
液体を吸収する吸収体を有する使い捨ておむつであって、
製造国を示す表示が視認可能に配置されていることを特徴とする使い捨ておむつ。
【００１２】
このような使い捨ておむつによれば、品質が優れているとの印象を購買者や使用者に適切に与えることができる使い捨ておむつを提供することが可能となる。
【００１３】
かかる使い捨ておむつであって、
長手方向と、前記長手方向と交差する幅方向と、を有し、
前記使い捨ておむつを、前記長手方向における前記使い捨ておむつのおむつ中央よりも前側の前側領域と該おむつ中央よりも後側の後側領域とに分けたときに、
テープ部材が前記前側領域と前記後側領域のどちらか一方の領域に固定されており、
該一方の領域に前記表示が前記使い捨ておむつの表側から視認可能に設けられていることが望ましい。
【００１４】
このような使い捨ておむつによれば、使い捨ておむつを片付ける（処分する）作業を行う際に操作者が操作するテープ部材のある側に、表示が設けられる。そのため、操作者は、当該作業中にテープ部材を操作すると、使い捨ておむつの表側から視認可能に当該領域に対し設けられた製造国表示に容易に気付くことができる。したがって、品質が優れているとの印象を購買者や使用者により適切に与えることができる。
【００１５】
かかる使い捨ておむつであって、
前記テープ部材が前記一方の領域に固定部にて固定されており、
前記固定部の前記長手方向における中央から、
前記一方の領域に属する胴回り部の前記長手方向における端まで、
の前記長手方向における距離を第一距離とした際に、
前記表示の前記長手方向における位置は、前記中央から前記第一距離までの範囲にあることが望ましい。
【００１６】
このような使い捨ておむつによれば、操作者は、使い捨ておむつを片付ける（処分する）作業中にテープ部材を操作すると、当該範囲に対し設けられた製造国表示により容易に気付くことができる。したがって、品質が優れているとの印象を購買者や使用者により適切に与えることができる。
【００１７】
かかる使い捨ておむつであって、
前記表示の前記長手方向における位置は、前記固定部の前記長手方向における一端と他端との間にあることが望ましい。
【００１８】
このような使い捨ておむつによれば、操作者は、使い捨ておむつを片付ける（処分する）作業中にテープ部材を操作すると、当該範囲に対し設けられた製造国表示により一層容易に気付くことができる。したがって、品質が優れているとの印象を購買者や使用者により適切に与えることができる。
【００１９】
かかる使い捨ておむつであって、
前記テープ部材はファスニングテープであり、
前記ファスニングテープが固定されるフラップ部を備え、
前記フラップ部は、長手方向に沿った最外縁部を有し、
前記表示の前記長手方向における位置は、前記最外縁部の前記長手方向における一端と他端との間にあることが望ましい。
【００２０】
このような使い捨ておむつによれば、操作者は、使い捨ておむつを片付ける（処分する）作業中にテープ部材を操作すると、当該フラップ部に係る範囲に対し設けられた製造国表示に容易に気付くことができる。したがって、品質が優れているとの印象を購買者や使用者により適切に与えることができる。
【００２１】
かかる使い捨ておむつであって、
前記テープ部材はファスニングテープであり、
前記ファスニングテープが固定されるフラップ部を備え、
前記使い捨ておむつの股下部における最狭部の外端と前記フラップ部の最外端の前記幅方向における真ん中位置を通り前記長手方向に平行な仮想線を引いた際に、該仮想線が前記フラップ部の外縁部と交わる四点を結んで構成される矩形状領域に、前記表示が設けられていることが望ましい。
【００２２】
このような使い捨ておむつによれば、操作者は、使い捨ておむつを片付ける（処分する）作業中にテープ部材を操作すると、当該矩形状領域に対し設けられた製造国表示に容易に気付くことができる。したがって、品質が優れているとの印象を購買者や使用者により適切に与えることができる。
【００２３】
かかる使い捨ておむつであって、
伸縮部材を有し、
前記表示は、前記伸縮部材と重なる位置に設けられていることが望ましい。
【００２４】
このような使い捨ておむつによれば、操作者が、使い捨ておむつを片付ける（処分する）ためにテープ部材を操作して使い捨ておむつを丸めると、伸縮部材が収縮していた際には見えにくかった表示が、伸縮部材の伸長により見えやすい状態となって突如出現することとなる。したがって、操作者は、使い捨ておむつを片付ける（処分する）作業中、表示が存在することに強い印象を持って気付くこととなる。したがって、品質が優れているとの印象を購買者や使用者により適切に与えることができる。
【００２５】
かかる使い捨ておむつであって、
長手方向と、前記長手方向と交差する幅方向と、を有し、
前記使い捨ておむつを、前記長手方向における前記使い捨ておむつのおむつ中央よりも前側の前側領域と該おむつ中央よりも後側の後側領域とに分けたときに、
前記後側領域に一対のファスニングテープが固定部にて固定され、かつ、前記前側領域にターゲットテープが設けられており、
前記ファスニングテープは、前記固定部と前記ターゲットテープと係合する係合部とを備え、
前記表示は、
前記前側領域に、前記使い捨ておむつの表側から視認可能に設けられており、かつ、
前記係合部の前記長手方向における中央が前記ターゲットテープの前記長手方向における中央に一致するように、かつ、前記一対のファスニングテープの先端が互いに接触するように、前記係合部を前記ターゲットテープに係合させた際に、前記一対のファスニングテープにより覆われず、かつ、前記長手方向において前記係合部と前記おむつ中央の間であって前記おむつ中央よりも前記係合部に近い側に設けられていることが望ましい。
【００２６】
このような使い捨ておむつによれば、操作者が、新しい使い捨ておむつを取り付ける作業を行うときに、ファスニングテープをターゲットテープに係合させるが、この際に、表示に操作者が気付き易くなる。したがって、品質が優れているとの印象を購買者や使用者により適切に与えることができる。
【００２７】
かかる使い捨ておむつであって、
長手方向と、前記長手方向と交差する幅方向と、を有し、
前記使い捨ておむつを、前記長手方向における前記使い捨ておむつのおむつ中央よりも前側の前側領域と該おむつ中央よりも後側の後側領域とに分けたときに、
前記後側領域にファスニングテープが固定され、
前記表示は、前記後側領域に、前記使い捨ておむつの裏側から視認可能に設けられており、
前記表示の前記幅方向における位置は、前記吸収体の前記幅方向における一端と他端との間にあることが望ましい。
【００２８】
このような使い捨ておむつによれば、操作者が、新しい使い捨ておむつを取り付ける作業を行うときに、後部領域を着用者の尻にあてがうため、新しい使い捨ておむつの後部領域の部分を裏面が上になるようにセットするが、この際に、表示に操作者が気付き易くなる。したがって、品質が優れているとの印象を購買者や使用者により適切に与えることができる。
【００２９】
かかる使い捨ておむつであって、
長手方向と、前記長手方向と交差する幅方向と、を有し、
前記長手方向に伸縮するレッグギャザーが該長手方向に沿って備えられており、
前記表示の前記長手方向における位置は、前記レッグギャザーの前記長手方向における端よりも、前記使い捨ておむつのおむつ中央から前記長手方向において遠い側にあることが望ましい。
【００３０】
このような使い捨ておむつによれば、着用者が使い捨ておむつを着用している際に購買者や使用者が表示に気付き易くなる。そのため、品質が優れているとの印象を購買者や使用者により適切に与えることができる。
【００３１】
かかる使い捨ておむつであって、
前記表示は、前記吸収体と重なる位置に設けられていることが望ましい。
【００３２】
このような使い捨ておむつによれば、膨らみがあり、かつ、しわが発生しにくい場所に表示が位置することとなるため、購買者や使用者が製造国表示に気付き易くなる。そのため、品質が優れているとの印象を購買者や使用者により適切に与えることができる。
【００３３】
かかる使い捨ておむつであって、
長手方向と、前記長手方向と交差する幅方向と、を有し、
前記幅方向に伸縮部材が連続して設けられた伸縮域と、前記伸縮部材が設けられていないか、又は、前記幅方向に前記伸縮部材が非連続に設けられた非伸縮域又は弱伸縮域とが、前記長手方向における所定範囲に備えられており、
前記非伸縮域又は弱伸縮域は、前記幅方向における中央部、かつ、前記吸収体と重なる位置に位置し、
前記伸縮域は、前記幅方向における両端部に位置し、
前記表示は、前記非伸縮域又は弱伸縮域に設けられていることが望ましい。
【００３４】
このような使い捨ておむつによれば、製造国表示が見易く、購買者や使用者が表示に気付き易くなる。そのため、品質が優れているとの印象を購買者や使用者により適切に与えることができる。
【００３５】
かかる使い捨ておむつであって、
前記吸収体は、穴部又は凹部からなり、前記使い捨ておむつの変形を誘導する変形誘導部を備えており、
前記表示は、前記変形誘導部と重ならない位置に設けられていることが望ましい。
【００３６】
このような使い捨ておむつによれば、表示が見易くなり、購買者や使用者が表示に気付き易くなる。そのため、品質が優れているとの印象を購買者や使用者により適切に与えることができる。
【００３７】
かかる使い捨ておむつであって、
前記表示は不織布により覆われており、前記表示と前記不織布とは接着剤により接着されていることが望ましい。
【００３８】
このような使い捨ておむつによれば、不織布が製造国表示から浮くことがなく、製造国表示が見易くなり、購買者や使用者が製造国表示に気付き易くなる。そのため、品質が優れているとの印象を購買者や使用者により適切に与えることができる。
【００３９】
かかる使い捨ておむつであって、
長手方向と、前記長手方向と交差する幅方向と、前記長手方向及び前記幅方向と交差する厚み方向と、を有し、
前記製造国を示す表示とは異なる模様が記されたシート部材を有し、
前記シート部材よりも前記厚み方向において前記使い捨ておむつの表面側に設けられた部材に前記表示が記されていることが望ましい。
【００４０】
このような使い捨ておむつによれば、模様よりも表示が表面側に位置することとなるから、模様と表示の混合した図柄において模様から表示が浮き出るような状態となり、購買者や使用者が表示に気付き易くなる。そのため、品質が優れているとの印象を購買者や使用者により適切に与えることができる。
【００４１】
かかる使い捨ておむつであって、
水分と接触すると色が変化するインジケーターを有し、
前記表示の色は、インジケーターの変化前後のいずれかの色と類似色であり、該類似色の程度が、オスワルド色相環によって分類された２４色の色票で、同じ色票であるか色相番号が１つだけずれた範囲のものであることが望ましい。
【００４２】
このような使い捨ておむつによれば、購買者や使用者は、当該変化前後の色を意識した状態で、インジケーターを探すこととなる。そして、表示の色が当該変化前後の色と類似色である場合には、インジケーターを探す際に、表示に気付き易くなる。そのため、品質が優れているとの印象を購買者や使用者により適切に与えることができる。
【００４３】
かかる使い捨ておむつであって、
前記製造国を示す表示とは別に前記使い捨ておむつのブランド名又は製造会社名を示す表示が視認可能に配置されており、
前記製造国を示す表示とブランド名又は製造会社名を示す表示との間で、
表示領域、色、双方の表示が文字である場合には、字の大きさ、字体、のいずれかが異なることが望ましい。
【００４４】
このような使い捨ておむつによれば、製造国を示す表示とブランド名又は製造会社名を示す表示との間に強弱がついているので、双方を意識しやすい。そのため、品質が優れているとの印象を購買者や使用者により適切に与えることができる。
【００４５】
＝＝＝本実施の形態に係る使い捨ておむつの概要について＝＝＝
本実施の形態の使い捨ておむつは、テープ型（オープンタイプ）の使い捨ておむつ（以下、単におむつ１とも呼ぶ）である。
【００４６】
図１は、本実施の形態に係るおむつ１の展開状態（おむつ１にしわが無いように伸ばした状態を意味する）の平面図である。図２Ａ〜図２Ｃは、本実施の形態に係るおむつ１の各部の分解説明図である。図２Ａは、前部３の分解説明図である。図２Ｂは、股下部５の分解説明図である。図２Ｃは、後部７の分解説明図である。
【００４７】
本実施の形態のおむつ１は、図１に示すように、前部３と、股下部５と、後部７とを有する。前部３は、着用者の前部（腹側）に位置することになる部分（胴回り部）である。また、後部７は、着用者の後部（背側）に位置することになる部分（胴回り部）である。股下部５は、前部３と後部７との間に位置することになる部分である。
【００４８】
以下の説明では、図１に示すように、各方向を定義する。すなわち、前部３から後部７に向かう方向を「製品長手方向Ｌ（長手方向に相当）」とし、製品長手方向Ｌと交差する方向を「製品幅方向Ｗ（幅方向に相当）」とする。図１に示されているＣＬは、製品長手方向Ｌにおけるおむつ１の中央（おむつ中央ＣＬとする）を示す線である。また、図２に示すように、製品長手方向Ｌ及び製品幅方向Ｗと交差する方向を「厚み方向」とし、着用者の肌の側を「肌側」とし、その逆側を「非肌側」とする。また、「非肌側」を「表側」ともいい、「肌側」を「裏側」ともいう。
【００４９】
また、製品長手方向Ｌにおけるおむつ１のおむつ中央ＣＬよりも前側（前部側）と後側（後部側）におむつ１を分けたときに、前側の領域を「前側領域４」、後側の領域を「後側領域６」とする。
【００５０】
おむつ１は、吸収体２１と、トップシート２２と、防漏シート２３と、バックシート２４と、肌側シート２６と、伸縮部材の一例としてのウェストギャザーフィルム２８と、テープ部材の一例としてのファスニングテープ３０と、ターゲットテープ２９を有している。
【００５１】
吸収体２１は、液体を吸収するためのものである。すなわち、吸収体２１は、尿等の排泄物を吸収することが可能な液体吸収性素材を積層してなる部材（吸収性コア）であり、前部３、股下部５及び後部７にわたって配置されている。図１の網掛け部で表示された領域は、吸収体２１の占める領域を示している。
【００５２】
吸収体２１は、製品長手方向Ｌの中央部における幅が狭くなるような砂時計形状を有する。但し、吸収体２１の形状は、図１に示す形状に限定されず、単純な長方形であっても良い。また、吸収体２１は、少なくとも股下部５に設けられていれば良い。
【００５３】
吸収体２１は、液透過性シート（不織布）からなるコアラップ２５に包まれ、厚み方向においてトップシート２２と防漏シート２３に挟まれて配置されている。吸収体２１を構成する液体吸収性素材としては、例えばパルプ繊維等の液体吸収性繊維や、高吸収性ポリマー等の液体吸収性粒状物を使用することができる。また、液体吸収性繊維及び液体吸収性粒状物以外の液体吸収性素材を含んでいても良い。
【００５４】
トップシート２２は、吸収体２１の肌側に配置された液透過性の部材である。
【００５５】
防漏シート２３は、吸収体２１の非肌側に配置された液不透過性の部材である。
【００５６】
バックシート２４は、おむつ１の非肌側の外装を構成する部材（外装シート）であり、例えば不織布で構成されている。防漏シート２３の非肌側にはバックシート２４が配置されている（図２Ａ〜図２Ｃ参照）。
【００５７】
また、おむつ１の製品幅方向Ｗの両側部、かつ、後側領域６（後部７）には、フラップ部１４が設けられている。このフラップ部１４は、主に、肌側シート２６とバックシート２４から構成されている（図２Ｃ参照）。肌側シート２６は、前部３、股下部５及び後部７にわたって形成された肌側の部材であり、例えば不織布で構成されている。肌側シート２６は、後述するレッグサイドギャザー１６（立体ギャザーに相当）を構成する部材でもあり、肌側シート２６の外側の部位がフラップ部１４を構成する。
【００５８】
また、おむつ１の脚回り開口部を形成する端縁部には、製品長手方向Ｌに伸縮する一対のレッグギャザー１５（脚回り伸縮部）が当該製品長手方向Ｌに沿って備えられている。本実施の形態において、当該レッグギャザー１５は肌側シート２６とバックシート２４との間に設けられた糸ゴムからなり、この糸ゴムが肌側シート２６及びバックシート２４に伸縮性を付与している。また、この糸ゴムは、製品長手方向Ｌにおいて前部３から後部７に亘って設けられている。なお、レッグギャザー１５は、糸ゴムにより構成することに限られず、例えば、伸縮シート（フィルム）により構成することとしてもよい。
【００５９】
また、製品幅方向Ｗにおいて、レッグギャザー１５よりも内側には、製品長手方向Ｌに伸縮する一対のレッグサイドギャザー１６が当該製品長手方向Ｌに沿って備えられている。このレッグサイドギャザー１６は、脚繰りの隙間からの液漏れを防ぐためのものであり、主に肌側シート２６の内側の部位から構成されている。
【００６０】
レッグサイドギャザー１６（肌側シート２６）は、製品長手方向Ｌにおける両端部に位置する端接合部１７（図１において、矩形状の部分）にて接合されている。また、一対の端接合部１７の間の部分（以下、便宜上、本体部１８と呼ぶ）は、製品幅方向Ｗにおける外側部分のみが接合されている（本体接合部１８ａと呼ぶ）。そのため、当該本体部１８は、一対の端接合部１７と本体接合部１８ａに囲まれてポケット状になっており、本体接合部１８ａを支点にして立ち上がるようになっている。なお、本体部１８の製品幅方向Ｗにおける内側部分には、伸縮部材（本実施の形態においては、糸ゴム１９）が設けられているので、当該内側部分は伸縮性を有している。このように、レッグサイドギャザー１６は、端接合部１７と本体部１８からなり、レッグギャザー１５と同様、製品長手方向Ｌにおいて前部３から後部７に亘って設けられている。レッグサイドギャザー１６の本体部１８の製品長手方向Ｌにおける端１８ｂ（つまり、本体部１８と端接合部１７の境目）は、レッグギャザー１５の製品長手方向Ｌにおける端１５ａよりも、おむつ１のおむつ中央ＣＬから製品長手方向Ｌにおいて遠い位置に設けられている。
【００６１】
また、後部７においては、吸収体２１とバックシート２４との間に、ウェストギャザーフィルム２８が配置されている（図２Ｃ参照）。このウェストギャザーフィルム２８は、製品幅方向Ｗに沿って伸縮する帯状の部材である。ウェストギャザーフィルム２８がバックシート２４等に伸縮性を付与することによって、ウェストギャザーが構成される。ウェストギャザーフィルム２８の製品幅方向Ｗの長さは、吸収体２１よりも長い。このため、ウェストギャザーは、吸収体２１から製品幅方向Ｗの外側にも突出して形成されている。
【００６２】
一対のファスニングテープ３０は、前側領域４と後側領域６のどちらか一方の領域（本実施の形態においては、後側領域６）に固定部３２にて固定されている。より具体的には、一対のファスニングテープ３０は、後部７のフラップ部１４に固定部３２にて固定されている。本実施の形態においては、フラップ部１４を構成する肌側シート２６とバックシート２４との間にファスニングテープ３０の一部が挟み込まれることによって（図２Ｃ参照）、ファスニングテープ３０が取り付けられている。
【００６３】
ファスニングテープ３０は、前記固定部３２と係合部３１とを備えている。そして、当該係合部３１が後述するターゲットテープ２９と係合することにより、おむつ１を着用者に着用させることができるようになっている。なお、固定部３２の製品長手方向Ｌにおける幅は、係合部３１の製品長手方向Ｌにおける幅よりも大きくなっている。そして、本実施の形態においては、係合部３１の一部に、面ファスナーが備えられている。
【００６４】
ターゲットテープ２９は、前側領域４と後側領域６のうちの他方の領域（本実施の形態においては、前側領域４）に設けられている。より具体的には、ターゲットテープ２９は、前部３のバックシート２４の非肌側に配置されている（図２Ａ参照）。ターゲットテープ２９は、ファスニングテープ３０と係合可能な部材であり、例えば不織布で形成されている。また、本実施の形態に係るターゲットテープ２９は、図１に示すように、製品幅方向Ｗに沿った長方形状の部材となっている。
【００６５】
＝＝＝製造国表示について＝＝＝
上述した通り、おむつ１の品質が優れているとの印象を、当該おむつ１の購買者や使用者に与えることは重要である。このような印象を購買者等に与えれば、購買者等は安心しておむつ１を使用できる。
【００６６】
そこで、本実施の形態に係るおむつ１には、製造国を示す表示（以下、製造国表示と呼ぶ）を視認可能に配置することとした（図１参照）。そのため、おむつ１の購買者や使用者が、製造国表示を見た際には、おむつ１が当該製造国で製造された物であるから当該おむつ１は高品質であるとの印象を有することとなる。そのため、購買者等は、当該おむつ１を安心して使用することができる。このように、本実施の形態に係るおむつ１によれば、品質が優れているとの印象を購買者や使用者に適切に与えることができる。
【００６７】
なお、「視認可能」とは昼白色（色温度目安 ４６００〜５４００ Ｋ（ケルビン））で明るく照明された室内(目安：５００〜７５０ ｌｘ（ルクス））で約３０〜５０ｃｍの距離で、良好な視力（１．０以上）を両眼に有する被験者が対象物を見たときに、製造国表示を見て、判別することができる事を意味している。
【００６８】
＜＜＜製造国表示の例について＞＞＞
製造国表示は、製造国を示すものであればどのようなものでもよい。以下では、製造国として日本を例に挙げて、図３を参照しつつ説明する。図３に示すように、製造国表示は、文字でも良いし、図柄でも良い。文字の例としては、「ＭＡＤＥ  ＩＮ  ＪＡＰＡＮ」や「日本製」や「日本産」を挙げることができる。また、図柄の例としては、国旗や地図を挙げることができる。また、製造国とは異なる国で使用される場合、製造国とは異なるその国の言語にて国名の文字を記載することも可能である。
【００６９】
＜＜＜製造国表示の位置について＞＞＞
次に、おむつ１のどの位置に製造国表示が配置されていれば望ましいか（適切であるか）について、その位置と望ましい理由について説明する。
【００７０】
＜第一位置（第一態様）＞
図４は、製造国表示の第一位置（第一態様）を示したおむつ１の展開状態の概念図である。図５は、操作者がおむつ１を片付ける（処分する）ためにファスニングテープ３０を操作しておむつ１を丸めたときのおむつ１の状態を示した図である。図５の上図のおむつ１を裏返したものが、下図のおむつ１となっている。
【００７１】
第一態様においては、テープ部材（ファスニングテープ３０）が前側領域４と後側領域６のどちらか一方の領域（本実施形態においては、後側領域６）に固定されており、該一方の領域（後側領域６）に製造国表示がおむつ１の表側から視認可能に設けられている。換言すれば、前側領域４と後側領域６のうちのファスニングテープ３０が固定されている方の領域（図４の斜線部）に製造国表示が配置されている。なお、「該一方の領域に設けられている」とは、製造国表示が完全に当該領域内に収まっていることまでは要求されず、製造国表示の少なくとも一部が当該領域に収まっていればよい。
【００７２】
また、表側から視認可能とするためには、例えば、おむつ１の表側の最外面（すなわち、バックシート２４の表面）に製造国表示を設けてもよいし、防漏シート２３の表面に製造国表示を設けて防漏シート２３を覆うバックシート２４を通して製造国表示が見えるようにしてもよい。
【００７３】
着用者におむつ１を着用させる者（以下、便宜上、操作者と呼ぶ。購買者又は使用者でもあり得る）が、おむつ交換を行う際には、古いおむつ１を取り外して新しいおむつ１を取り付ける作業を行った後に、古いおむつ１を片付ける（処分する）作業を行うこととなる。この際に、前者の作業中は、操作者にとって慌ただしい状況となるため、製造国表示が比較的目に入りにくい。これに対し、後者の作業においては、着用者に対する対応は済んでいることから、操作者に安心感がある（操作者にとってゆったりした）状況となるため、製造国表示が比較的目に入りやすい。
【００７４】
そこで、第一態様においては、おむつ１を片付ける（処分する）作業を行う際に操作者が操作するテープ部材（ファスニングテープ３０）のある側（前側領域４と後側領域６のうちのファスニングテープ３０が固定されている方の領域）に、製造国表示を設けることとした。そのため、操作者は、当該作業中にファスニングテープ３０を操作すると、おむつ１の表側から視認可能に当該領域に対し設けられた製造国表示に容易に気付くことができる（図５参照）。したがって、品質が優れているとの印象を購買者や使用者により適切に与えることができる。
【００７５】
＜第二位置（第二態様）＞
図６は、製造国表示の第二位置（第二態様）を示したおむつ１の展開状態の概念図である。第二態様においては、テープ部材（ファスニングテープ３０）が前記一方の領域（本実施形態においては、後側領域６）に固定部３２にて固定されており、固定部３２の製品長手方向Ｌにおける中央（図６において、符号ＣＬ２で示す）から、一方の領域（本実施形態においては、後側領域６）に属する胴回り部の製品長手方向Ｌにおける端（すなわち、最外端。図６において、符号Ｅで示す）まで、の製品長手方向Ｌにおける距離を第一距離Ｄとした際に、製造国表示の製品長手方向Ｌにおける位置（座標軸を製品長手方向Ｌにとったときの位置）は、前記中央ＣＬ２から前記第一距離Ｄまでの範囲（つまり、図６において、中央ＣＬ２から上側に第一距離Ｄまで、また、下側に第一距離Ｄまでの範囲。図６の斜線部参照）にある。なお、「前記中央ＣＬ２から前記第一距離Ｄまでの範囲にある」とは、製造国表示が完全に当該範囲内に収まっていることまでは要求されず、製造国表示の少なくとも一部が当該範囲に収まっていればよい。
【００７６】
このように、第二態様に係る範囲は、第一態様と比べて、よりファスニングテープ３０に関連付けられた範囲となっている。そのため、第一態様と同様の効果がより顕著に生じる。すなわち、操作者は、おむつ１を片付ける（処分する）作業中にファスニングテープ３０を操作すると、当該範囲に対し設けられた製造国表示により容易に気付くことができる。したがって、品質が優れているとの印象を購買者や使用者により適切に与えることができる。
【００７７】
＜第三位置（第三態様）＞
図７は、製造国表示の第三位置（第三態様）を示したおむつ１の展開状態の概念図である。第三態様においては、製造国表示の製品長手方向Ｌにおける位置（座標軸を製品長手方向Ｌにとったときの位置）は、固定部３２の製品長手方向Ｌにおける一端（すなわち、一端側の最外端）と他端（すなわち、他端側の最外端）との間（図７の斜線部）にある。なお、「間にある」とは、製造国表示が完全に当該間に収まっていることまでは要求されず、製造国表示の少なくとも一部が当該間に収まっていればよい。
【００７８】
このように、第三態様に係る範囲は、第二態様と比べて、よりファスニングテープ３０に関連付けられた範囲となっている。そのため、第二態様と同様の効果がより顕著に生じる。すなわち、操作者は、おむつ１を片付ける（処分する）作業中にファスニングテープ３０を操作すると、当該範囲に対し設けられた製造国表示により一層容易に気付くことができる。操作者は、左右のファスニングテープ３０を持ち、ファスニングテープ３０を引っ張って丸める。よって、丸めたときに、ファスニングテープ３０の固定部３２の間の領域は、より確実に丸めた状態のおむつ１の外側に来ることとなり、使用後に視認される可能性が高い。また、固定部３２間は引っ張って丸められるため、丸めたときにおむつ１のしわが無い状態となり易いため、より製造国表示が見えやすくなる。
【００７９】
以上のことから、品質が優れているとの印象を購買者や使用者により適切に与えることができる。
【００８０】
＜第四位置（第四態様）＞
図８は、製造国表示の第四位置（第四態様）を示したおむつ１の展開状態の概念図である。上記実施形態に係るおむつ１のようにフラップ部１４にファスニングテープ３０が固定されている場合には、フラップ部１４の範囲内に製造国表示を設けても、第一態様乃至第三態様と同様の効果が生じる。
【００８１】
すなわち、第四態様において、フラップ部１４は、製品長手方向Ｌに沿った最外縁部１４ａを有し、製造国表示の製品長手方向Ｌにおける位置（座標軸を製品長手方向Ｌにとったときの位置）は、最外縁部１４ａの製品長手方向Ｌにおける一端（すなわち、一端側の最外端）と他端（すなわち、他端側の最外端）との間（図８の斜線部）にある。なお、「間にある」とは、製造国表示が完全に当該間に収まっていることまでは要求されず、製造国表示の少なくとも一部が当該間に収まっていればよい。
【００８２】
操作者は、おむつ１を片付ける（処分する）作業中にファスニングテープ３０を操作すると、当該フラップ部１４に係る範囲に対し設けられた製造国表示に容易に気付くことができる。したがって、品質が優れているとの印象を購買者や使用者により適切に与えることができる。操作者は、左右のファスニングテープ３０を持ち、ファスニングテープ３０を引っ張って丸める。よって、丸めたときに、当該フラップ部１４に係る範囲の領域は、より確実に丸めた状態のおむつ１の外側に来ることとなり、使用後に視認される可能性が高い。また、当該フラップ部１４に係る範囲は引っ張って丸められるため、丸めたときにおむつ１のしわが無い状態となり易いため、より製造国表示が見えやすくなる。
【００８３】
＜第五位置（第五態様）＞
図９は、製造国表示の第五位置（第五態様）を示したおむつ１の展開状態の概念図である。第五態様においては、おむつ１の股下部５における最狭部１２の外端１２ａとフラップ部１４の最外端１４ｂの製品幅方向Ｗにおける真ん中位置を通り製品長手方向Ｌに平行な仮想線Ｌ１を引いた際に、該仮想線Ｌ１がフラップ部１４の外縁部１４ｃと交わる四点を結んで構成される矩形状領域（図９の斜線部）に、製造国表示が設けられている。なお、「矩形状領域に設けられている」とは、製造国表示が完全に当該領域内に収まっていることまでは要求されず、製造国表示の少なくとも一部が当該領域に収まっていればよい。
【００８４】
操作者は、おむつ１を片付ける（処分する）作業中にファスニングテープ３０を操作すると、当該矩形状領域に設けられた製造国表示に容易に気付くことができる。したがって、品質が優れているとの印象を購買者や使用者により適切に与えることができる。操作者は、左右のファスニングテープ３０を持ち、ファスニングテープ３０を引っ張って丸める。よって、丸めたときに、当該矩形状領域は、より確実に丸めた状態のおむつ１の外側に来ることとなり、使用後に視認される可能性が高い。また、当該矩形状領域は引っ張って丸められるため、丸めたときにおむつ１のしわが無い状態となり易いため、より製造国表示が見えやすくなる。
【００８５】
＜第六位置（第六態様）＞
図１０は、製造国表示の第六位置（第六態様）を示したおむつ１の展開状態の概念図である。第一態様乃至第四態様のケースにおいて、製造国表示は、さらに、伸縮部材（ウェストギャザーフィルム２８）と重なる位置（図１０の斜線部）に設けられていることが望ましい。なお、「重なる位置に設けられている」とは、製造国表示全体がウェストギャザーフィルム２８と重なっていることまでは要求されず、製造国表示の少なくとも一部がウェストギャザーフィルム２８と重なっていればよい。
【００８６】
このような場合に、操作者が、おむつ１を片付ける（処分する）ためにファスニングテープ３０を操作して（つまり、ファスニングテープ３０を手で引っ張って）おむつ１を丸めると、収縮していたウェストギャザーフィルム２８が伸長する。そして、製造国表示がウェストギャザーフィルム２８と重なる位置に設けられているため、ウェストギャザーフィルム２８が収縮していた際には見えにくかった製造国表示が、ウェストギャザーフィルム２８の伸長により見えやすい状態となって突如出現することとなる。したがって、操作者は、おむつ１を片付ける（処分する）作業中、製造国表示が存在することに強い印象を持って気付くこととなる。したがって、品質が優れているとの印象を購買者や使用者により適切に与えることができる。
【００８７】
なお、伸縮部材（すなわち、テープを引っ張った際に伸長する部材）として伸縮フィルムであるウェストギャザーフィルム２８を挙げたが、例えば、糸ゴムであってもよい。
【００８８】
＜第七位置（第七態様）＞
図１１は、製造国表示の第七位置（第七態様）を示した概念図である。なお、図１１は、着用時におけるおむつ１の形態を示した図となっている。
【００８９】
第七態様においては、製造国表示が、前側領域４に、おむつ１の表側から視認可能に設けられており、かつ、標準位置で（具体的には、図１１に示すように、係合部３１の製品長手方向Ｌ（つまり、係合部３１の幅方向）における中央（図１１において、符号ＣＬ３で示す）がターゲットテープ２９の製品長手方向Ｌ（つまり、ターゲットテープ２９の幅方向）における中央（図１１において、符号ＣＬ３で示す）に一致するように、かつ、一対のファスニングテープ３０の先端３０ａが互いに接触するように）、係合部３１をターゲットテープ２９に係合させた際に、一対のファスニングテープ３０により覆われず、かつ、製品長手方向Ｌにおいて係合部３１（具体的には、係合部３１の製品長手方向Ｌにおける中央ＣＬ３）とおむつ中央ＣＬの間であっておむつ中央ＣＬよりも係合部３１に近い側（図１１の斜線部）に設けられている。
【００９０】
なお、「前側領域４に設けられている」とは、製造国表示が完全に当該領域内に収まっていることまでは要求されず、製造国表示の少なくとも一部が当該領域に収まっていればよい。
【００９１】
操作者が、おむつ交換を行う際には、古いおむつ１を取り外した後に、新しいおむつ１を取り付ける作業を行う。そして、新しいおむつ１を取り付ける作業を行う際には、図１１に示されているように、ファスニングテープ３０をターゲットテープ２９に係合させるが、この際に、製造国表示が、前側領域４におむつ１の表側から視認可能に設けられ、かつ、一対のファスニングテープ３０により覆われず、製品長手方向Ｌにおいて係合部３１とおむつ中央ＣＬの間であっておむつ中央ＣＬよりも係合部３１に近い側（図１１の斜線部）に設けられている場合には、製造国表示に操作者が気付き易くなる。なお、製品長手方向Ｌにおいて係合部３１とおむつ中央ＣＬの間であって係合部３１よりもおむつ中央ＣＬに近い側に製造国表示が仮に設けられている場合には、着用者の足の間に挟まれておむつ１にしわが発生しやすい領域に製造国表示が設けられることとなるため見にくいが、本実施の形態においては、図１１の斜線部領域が、おむつ１の中では比較的剛性の高いファスニングテープ３０を止めた位置（図１１のＣＬ３の位置）に近いので、比較的フラットな状態を保ち易く、製造国表示の視認性に優れることとなる。
【００９２】
以上のことから、品質が優れているとの印象を購買者や使用者により適切に与えることができる。
【００９３】
＜第八位置（第八態様）＞
図１２は、製造国表示の第八位置（第八態様）を示したおむつ１の展開状態の概念図である。第八態様においては、製造国表示が、ファスニングテープ３０が固定された後側領域６に、おむつ１の裏側から視認可能に設けられており、製造国表示の製品幅方向Ｗにおける位置（座標軸を製品幅方向Ｗにとったときの位置）は、吸収体２１の製品幅方向Ｗにおける一端（すなわち、一端側の最外端）と他端（すなわち、他端側の最外端）との間（図１２の斜線部）にある。なお、「間にある」とは、製造国表示が完全に当該間に収まっていることまでは要求されず、製造国表示の少なくとも一部が当該間に収まっていればよい。
【００９４】
また、裏側から視認可能とするためには、例えば、おむつ１の裏側の最外面（すなわち、肌側シート２６の表面）に製造国表示を設けてもよいし、トップシート２２の表面に製造国表示を設けてトップシート２２を覆う肌側シート２６を通して製造国表示が見えるようにしてもよい。
【００９５】
操作者が、おむつ交換を行う際には、古いおむつ１を取り外した後に、新しいおむつ１を取り付ける作業を行う。そして、新しいおむつ１を取り付ける作業を行う際には、後側領域６を着用者の尻にあてがうため、新しいおむつ１の後側領域６の部分を裏面が上になるようにセットする。そして、かかるセットの際に、後側領域６に裏側から視認可能に設けられた製造国表示が目に入ることとなる。また、製造国表示が吸収体２１の製品幅方向Ｗにおける一端と他端との間（図１２の斜線部）にあることとしたため、垂れ下がりにくい領域に製造国表示が設けられることとなる。すなわち、図１２の斜線部の両サイドの部分に、製造国表示が位置する場合には、当該部分が垂れ下がって製造国表示が比較的見えにくくなるのに対し、第八態様においては、垂れ下がりにくい領域に製造国表示が設けられるため、製造国表示に操作者が気付き易くなる。以上のことから、品質が優れているとの印象を購買者や使用者により適切に与えることができる。
【００９６】
＜第九位置（第九態様）＞
図１３は、製造国表示の第九位置（第九態様）を示したおむつ１の展開状態の概念図である。第九態様においては、製造国表示の製品長手方向Ｌにおける位置（座標軸を製品長手方向Ｌにとったときの位置）は、レッグギャザー１５の製品長手方向Ｌにおける端１５ａ（すなわち、最外端）よりも、おむつ１のおむつ中央ＣＬから製品長手方向Ｌにおいて遠い側にある。なお、「端１５ａよりも遠い側にある」とは、製造国表示全体が完全に端１５ａよりも遠い側にあることまでは要求されず、製造国表示の少なくとも一部が遠い側（図１３の斜線部）にあればよい。
【００９７】
レッグギャザー１５に対応する範囲は、身体の凹みに入り込む部分であるため、この範囲に製造国表示が設けられていても、着用者が、おむつ１を着用している際には、製造国表示が比較的見えにくい。したがって、製造国表示の製品長手方向Ｌにおける位置が、端１５ａよりもおむつ中央ＣＬから遠い側にあれば、着用者がおむつ１を着用している際に購買者や使用者が製造国表示に気付き易くなる。そのため、品質が優れているとの印象を購買者や使用者により適切に与えることができる。
【００９８】
さらには、製造国表示の製品長手方向Ｌにおける位置は、前記端１５ａよりもおむつ中央ＣＬから製品長手方向Ｌにおいて遠い側にあるのみならず、レッグサイドギャザー１６の本体部１８の製品長手方向Ｌにおける端１８ｂよりも、おむつ中央ＣＬから製品長手方向Ｌにおいて遠い側（図１３の網掛け部）にあることが好ましい。
【００９９】
レッグサイドギャザー１６の本体部１８に対応する範囲は、レッグギャザー１５に対応する範囲ほどではないものの、伸縮部材（糸ゴム１９）に起因してしわが発生しやすい箇所である。したがって、製造国表示の製品長手方向Ｌにおける位置が、端１５ａだけでなく端１８ｂよりもおむつ中央ＣＬから遠い側にあれば、着用者がおむつ１を着用している際に購買者や使用者が製造国表示により気付き易くなる。そのため、品質が優れているとの印象を購買者や使用者により一層適切に与えることができる。
【０１００】
さらには、伸縮部材（糸ゴム１９）の有効伸縮域が、端１８ｂを越えて、端１８ｂよりもおむつ中央ＣＬから製品長手方向Ｌにおいて遠い側（すなわち、図１３の網掛け部）には達していないことが好ましい。ここで、有効伸縮域とは、伸縮部材（糸ゴム１９）の伸縮機能が発揮される領域を言う。そのため、伸縮部材（糸ゴム１９）が存在していても伸縮部材（糸ゴム１９）の伸縮機能が発揮されない部分は有効伸縮域とは言えない。
【０１０１】
かかる場合には、製造国表示の製品長手方向Ｌにおける位置が、端１８ｂよりもおむつ中央ＣＬから遠い側にある際に、より一層製造国表示がしわの影響を受けにくくなり、着用者がおむつ１を着用している際に購買者や使用者が製造国表示により気付き易くなる。そのため、品質が優れているとの印象を購買者や使用者により一層適切に与えることができる。
【０１０２】
なお、第九態様においては、製造国表示が、おむつ１の表側又は裏側から視認可能に設けられている。このように、表側と裏側のどちらでもよいが、表側の方が購買者や使用者の目に入りやすいので表側の方がより好ましい。
【０１０３】
＝＝＝使い捨ておむつがパンツ型おむつ１０１の場合について＝＝＝
上記においては、使い捨ておむつがテープ型である場合を例に挙げて、おむつ１のどの位置に製造国表示が配置されていれば望ましいか（適切であるか）について、その位置と望ましい理由について説明したが、ここでは、使い捨ておむつがパンツ型である場合について説明する。以下では、先ず、パンツ型おむつ１０１について概略説明し、これに引き続いて前記位置と望ましい理由について述べる。
【０１０４】
図１４は、展開状態のパンツ型おむつ１０１の平面図である。図１５は、パンツ型おむつ１０１の斜視イメージ図である。以下の説明では、パンツ型おむつ１０１の縦方向、横方向のことを、それぞれ「製品長手方向Ｌ（長手方向に相当）」「製品幅方向Ｗ（幅方向に相当）」と言う。図１４に示されているＣＬは、製品長手方向Ｌにおけるパンツ型おむつ１０１の中央（おむつ中央ＣＬとする）を示す線である。また、製品長手方向Ｌ及び製品幅方向Ｗと交差する方向を「厚み方向」とし、着用者の肌の側を「肌側」とし、その逆側を「非肌側」とする。また、「非肌側」を「表側」ともいい、「肌側」を「裏側」ともいう。
【０１０５】
また、製品長手方向Ｌにおけるパンツ型おむつ１０１のおむつ中央ＣＬよりも前側（前部側）と後側（後部側）にパンツ型おむつ１０１を分けたときに、前側の領域を「前側領域４」、後側の領域を「後側領域６」とする。
【０１０６】
本実施の形態に係るパンツ型おむつ１０１は、所謂３ピースタイプであり、３つの部品を有している。すなわち、このパンツ型おむつ１０１は、第１部品として、着用者の股間部にあてがわれ尿等の排泄物を吸収する吸収性本体１１０を有し、第２部品として、同着用者の背側部を覆う背側胴回り部１３０を有し、第３部品として、同着用者の腹側部を覆う腹側胴回り部１４０を有している。
【０１０７】
図１４の展開状態では、背側胴回り部１３０と腹側胴回り部１４０とが互いに縦方向に間隔をあけて平行に並んだ状態で、これらの間に吸収性本体１１０が掛け渡されている。そして、吸収性本体１１０の一端部１１０ａに背側胴回り部１３０が、他端部１１０ｂに腹側胴回り部１４０が固定されており、その外観形状は平面視略Ｈ形状をなしている。
【０１０８】
そして、この状態から、吸収性本体１１０が、おむつ中央ＣＬを折り位置として二つ折りされる。この二つ折りの状態において互いに対向する背側胴回り部１３０と腹側胴回り部１４０とが、接合・連結されると、これら胴回り部同士が環状に成形される。つまり、パンツ型おむつ１０１は、背側胴回り部１３０の横方向における背側両縁部１３０ａと腹側胴回り部１４０の横方向における腹側両縁部１４０ａが連結（接合）されて形成されている。これにより、図１５に示すような胴周り開口１０１ａ及び一対の脚周り開口１０１ｂが形成された着用状態のパンツ型おむつ１０１となる。
【０１０９】
吸収性本体１１０は、着用者の股間（股下）に対応し、尿等の排泄物を吸収するためのものである。この吸収性本体１１０は、平面視長方形状を有しており、長手方向（長辺方向）が製品長手方向Ｌに沿うように設けられている。そして、当該吸収性本体１１０には、おむつ１の吸収体２１と同様の吸収体２１が設けられている。また、おむつ１の場合と同様、吸収体２１は、コアラップに包まれ、厚み方向においてトップシートと防漏シートに挟まれて配置されており、防漏シートの非肌側には、バックシートが配置されている。
【０１１０】
背側胴回り部１３０は、着用者の背部に対応するシート状部材である。この背側胴回り部１３０は、平面視長方形状を有しており、長手方向（長辺方向）が製品幅方向Ｗに沿うように設けられている。この背側胴回り部１３０は、二枚の不織布が重ねられて、形成されている。背側胴回り部１３０は、吸収性本体１１０の一端部１１０ａに重ねられ、接合固定されている。
【０１１１】
腹側胴回り部１４０は、着用者の腹部に対応するシート状部材である。この腹側胴回り部１４０は、平面視長方形状を有しており、長手方向（長辺方向）が製品幅方向Ｗに沿うように設けられている。この腹側胴回り部１４０は、二枚の不織布が重ねられて、形成されている。腹側胴回り部１４０は、吸収性本体１１０の他端部１１０ｂに重ねられ、接合固定されている。
【０１１２】
また、背側胴回り部１３０及び腹側胴回り部１４０には、製品幅方向Ｗに沿って伸縮する伸縮部材（具体的には、糸ゴム１５０）が、製品長手方向Ｌに複数並ぶように配置されている。この糸ゴム１５０は、不織布に接着剤により接合固定されている。
【０１１３】
ここで、製品長手方向Ｌにおいておむつ中央ＣＬから遠い側に位置する複数本の糸ゴム１５０（便宜上、これらの糸ゴム１５０を第一糸ゴム１５０ａと呼ぶ）は、背側両縁部１３０ａ（腹側両縁部１４０ａ）の一方から他方まで製品幅方向Ｗに沿って延びているのに対し、製品長手方向Ｌにおいておむつ中央ＣＬから近い側に位置する複数本の糸ゴム１５０（便宜上、これらの糸ゴム１５０を第二糸ゴム１５０ｂと呼ぶ）は、背側両縁部１３０ａ（腹側両縁部１４０ａ）の一方から他方まで製品幅方向Ｗに沿って延びる一方で、中央部において不連続部分を備えている。
【０１１４】
つまり、製品幅方向Ｗに第二糸ゴム１５０ｂが連続して設けられた伸縮域１６２と、第二糸ゴム１５０ｂが設けられていないか、又は、製品幅方向Ｗに第二糸ゴム１５０ｂが非連続に設けられた非伸縮域又は弱伸縮域（本実施の形態においては、非伸縮域１６０）とが、製品長手方向Ｌにおける所定範囲Ｒ（図１４参照）に備えられている。そして、非伸縮域又は弱伸縮域（本実施の形態においては、非伸縮域１６０）は、製品幅方向Ｗにおける中央部、かつ、吸収体２１と重なる位置に位置し、伸縮域１６２は、製品幅方向Ｗにおける両端部に位置している。
【０１１５】
また、パンツ型おむつ１０１においては、テープ部材として、ファスニングテープ３０の代わりに、パンツ型おむつ１０１の処分時のみ用いられる後処理テープ１７０が一つのみ備えられている。
【０１１６】
この後処理テープ１７０は、前側領域４と後側領域６のどちらか一方の領域（本実施の形態においては、後側領域６）に固定部１７２にて固定されている。より具体的には、後処理テープ１７０は、腹側胴回り部１４０の製品幅方向Ｗにおける中央に、固定部１７２の長手方向が製品長手方向Ｌに沿うように固定されている。
【０１１７】
図１６は、後処理テープ１７０の断面模式図である。図１４及び図１６に示すように、後処理テープ１７０は、前記固定部１７２と係合部１７１とを備えている。係合部１７１は、二つ折りにされており、その先端部分には、操作者により把持される部分となるタグ１７１ａと面ファスナー１７１ｂとが備えられている。
【０１１８】
そして、操作者が、おむつ１を片付ける（処分する）際には、先ず、背側両縁部１３０ａと腹側両縁部１４０ａとが接合されている連結部分を解く（つまり、手で破る。ただし、この連結部分を解く行為は必須の行為ではない）。次に操作者は、タグ１７１ａを掴み、二つ折りにされていた係合部１７１を伸ばして、パンツ型おむつ１０１を包むようにパンツ型おむつ１０１の表面に係合部１７１を係合させる。
【０１１９】
次に、製造国表示の位置について説明する。
【０１２０】
＜第十位置（第十態様）＞
図１７は、製造国表示の第十位置（第十態様）を示したパンツ型おむつ１０１の展開状態の概念図である。第一態様においては、テープ部材（ファスニングテープ３０）が前側領域４と後側領域６のどちらか一方の領域（後側領域６）に固定されており、該一方の領域（後側領域６）に製造国表示がおむつ１の表側から視認可能に設けられていたが、第十態様においては、テープ部材が、当該ファスニングテープ３０ではなく、後処理テープ１７０となっている。すなわち、第十位置（第十態様）は、第一位置（第一態様）に対応している。つまり、第十態様においては、テープ部材（後処理テープ１７０）が前側領域４と後側領域６のどちらか一方の領域（本実施の形態においては、後側領域６。図１７の斜線部）に固定されており、該一方の領域（後側領域６）に製造国表示がパンツ型おむつ１０１の表側から視認可能に設けられている。
【０１２１】
そのため、第一態様と同様の効果が奏される。すなわち、パンツ型おむつ１０１を片付ける（処分する）作業を行う際に操作者が操作する後処理テープ１７０のある側に、製造国表示が設けられる。そのため、操作者は、当該作業中に後処理テープ１７０を操作すると、後処理テープ１７０の表側から視認可能に当該領域に対し設けられた製造国表示に容易に気付くことができる。したがって、品質が優れているとの印象を購買者や使用者により適切に与えることができる。
【０１２２】
＜第十一位置（第十一態様）＞
図１８は、製造国表示の第十一位置（第十一態様）を示したパンツ型おむつ１０１の展開状態の概念図である。第二態様においては、テープ部材（ファスニングテープ３０）が前記一方の領域（後側領域６）に固定部３２にて固定されており、固定部３２の製品長手方向Ｌにおける中央ＣＬ２から、一方の領域（後側領域６）に属する胴回り部の製品長手方向Ｌにおける端Ｅまで、の製品長手方向Ｌにおける距離を第一距離Ｄとした際に、製造国表示の製品長手方向Ｌにおける位置は、前記中央ＣＬ２から前記第一距離Ｄまでの範囲にあることとしたが、第十一態様においては、テープ部材が、当該ファスニングテープ３０ではなく、後処理テープ１７０となっている。すなわち、第十一位置（第十一態様）は、第二位置（第二態様）に対応している。つまり、第十一態様においては、テープ部材（後処理テープ１７０）が前記一方の領域（後側領域６）に固定部１７２にて固定されており、固定部１７２の製品長手方向Ｌにおける中央ＣＬ２から、一方の領域（後側領域６）に属する胴回り部の製品長手方向Ｌにおける端Ｅまで、の製品長手方向Ｌにおける距離を第一距離Ｄとした際に、製造国表示の製品長手方向Ｌにおける位置は、前記中央ＣＬ２から前記第一距離Ｄまでの範囲（図１８の斜線部）にある。
【０１２３】
そのため、第二態様と同様の効果が奏される。すなわち、操作者は、パンツ型おむつ１０１を片付ける（処分する）作業中に後処理テープ１７０を操作すると、当該範囲に対し設けられた製造国表示により容易に気付くことができる。したがって、品質が優れているとの印象を購買者や使用者により適切に与えることができる。
【０１２４】
＜第十二位置（第十二態様）＞
図１９は、製造国表示の第十二位置（第十二態様）を示したパンツ型おむつ１０１の展開状態の概念図である。第三態様においては、製造国表示の製品長手方向Ｌにおける位置は、ファスニングテープ３０の固定部３２の製品長手方向Ｌにおける一端と他端との間にあることとしたが、第十二態様においては、テープ部材が、当該ファスニングテープ３０ではなく、後処理テープ１７０となっている。すなわち、第十二位置（第十二態様）は、第三位置（第三態様）に対応している。つまり、第十二態様においては、製造国表示の製品長手方向Ｌにおける位置は、後処理テープ１７０の固定部１７２の製品長手方向Ｌにおける一端と他端との間（図１９の斜線部）にある。
【０１２５】
そのため、第三態様と同様の効果が奏される。すなわち、操作者は、パンツ型おむつ１０１を片付ける（処分する）作業中に後処理テープ１７０を操作すると、当該範囲に対し設けられた製造国表示により一層容易に気付くことができる。したがって、品質が優れているとの印象を購買者や使用者により適切に与えることができる。
【０１２６】
＜第十三位置（第十三態様）＞
図２０は、製造国表示の第十三位置（第十三態様）を示したパンツ型おむつ１０１の展開状態の概念図である。第十三態様においては、製造国表示が、前記非伸縮域又は弱伸縮域（本実施の形態においては、非伸縮域１６０）に設けられている。なお、「非伸縮域１６０に設けられている」とは、製造国表示が完全に当該領域内に収まっていることまでは要求されず、製造国表示の少なくとも一部が当該領域に収まっていればよい。
【０１２７】
第十三態様によれば、伸縮域でなく非伸縮域又は弱伸縮域に製造国表示が設けられるため、製造国表示が見易くなり、購買者や使用者が製造国表示に気付き易くなる。そのため、品質が優れているとの印象を購買者や使用者により適切に与えることができる。なお、非伸縮域又は弱伸縮域内のおむつ表面の最も外側の不織布（バックシート２４側）の一部に、熱シール部又は開孔部を設け、それよりも内側の他のシートに製造国表示を設けることも可能である。これにより、熱シール部は、不織布を構成する熱可塑性樹脂繊維が溶融されているため視認性が高まりより表示が見え易く、部分的な開孔部は開孔部と非開孔部とに製造国表示が視認されることで見え方が不均一となり使用者の関心・注目を引くことができる。
【０１２８】
＜その他の位置（その他の態様）＞
テープ型のおむつ１について、第六態様では、第一態様乃至第五態様のケースにおいて、製造国表示は、さらに、伸縮部材（ウェストギャザーフィルム２８）と重なる位置（図１０の斜線部）に設けられていることが望ましかったが、第十態様乃至第十二態様のケースにおいても、同様のことが言える。すなわち、第十態様乃至第十二態様のケースにおいて、製造国表示は、さらに、伸縮部材（本実施の形態においては、糸ゴム１５０であるがフィルムであってもよい）と重なる位置に設けられていることが望ましい。
【０１２９】
また、図示は省略しているが、パンツ型おむつ１０１にも、レッグサイドギャザー及びレッグギャザーが備えられているため、第九位置（第九態様）はパンツ型おむつ１０１にも適用可能である。
【０１３０】
＝＝＝その他の実施形態＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【０１３１】
おむつ１やパンツ型おむつ１０１において、図２１に示すように、使い捨ておむつの変形を誘導する変形誘導部２１ａが、吸収体２１に備えられているものがある。この変形誘導部２１ａは、穴部（スリット等）や凹部（窪み部）からなるものである。
【０１３２】
そして、製造国表示は、変形誘導部２１ａと重ならない位置に設けられていることが望ましい。仮に、製造国表示が、変形誘導部２１ａと重なる位置に設けられている場合には、使い捨ておむつが変形誘導部２１ａに沿って曲げられるため、製造国表示も曲げられ何が書いてあるか特定しにくくなる。これに対し、製造国表示が変形誘導部２１ａと重ならない位置に設けられている場合には、製造国表示が見易くなり、購買者や使用者が製造国表示に気付き易くなる。そのため、品質が優れているとの印象を購買者や使用者により適切に与えることができる。
【０１３３】
また、おむつ１やパンツ型おむつ１０１において、製造国表示は不織布により覆われており、製造国表示と不織布とは接着剤により接着されていることが望ましい。例えば、上記実施の形態に係るおむつ１においては、防漏シート２３の表面に製造国表示を設けて防漏シート２３を覆う不織布製のバックシート２４を通して製造国表示が見えるようにする例を挙げたが、この防漏シート２３の製造国表示が設けられている部分とバックシート２４を接着剤で接着することが望ましい（図２２参照）。仮に、接着剤で接着されていない場合には、不織布（バックシート２４）が、製造国表示から浮いてしまい（離れてしまい）、製造国表示が見難くなる可能性がある。これに対し、接着剤で接着されている場合には、不織布（バックシート２４）が製造国表示から浮くことがなく、製造国表示が見易くなり、購買者や使用者が製造国表示に気付き易くなる。そのため、品質が優れているとの印象を購買者や使用者により適切に与えることができる。
【０１３４】
また、おむつ１やパンツ型おむつ１０１において、製造国を示す表示とは異なる模様が記されたシート部材を有し、シート部材よりも前記厚み方向において前記使い捨ておむつの表面側に設けられた部材に前記表示が記されていることが望ましい。
【０１３５】
例えば、上記実施の形態に係るおむつ１においては、防漏シート２３の表面に製造国表示を設けて防漏シート２３を覆う不織布製のバックシート２４を通して製造国表示が見えるようにする例を挙げたが、かかる例において、防漏シート２３（シート部材に相当）に模様（例えば、動物キャラクター等のイラスト）が記されている場合がある。そして、かかる場合に、製造国表示を防漏シート２３に設けるのではなく、例えば、製造国表示を設ける（記す）ための専用の部材（例えば、シート状タグ２７）を用意し、シート部材（防漏シート２３）よりも厚み方向においておむつ１の表面側（例えば、防漏シート２３とバックシート２４の間）に当該シート状タグ２７を設けることが望ましい（図２３参照）。
【０１３６】
そして、かかる場合には、模様よりも製造国表示が表面側に位置することとなるから、模様と製造国表示の混合した図柄において模様から製造国表示が浮き出るような状態となり、購買者や使用者が製造国表示に気付き易くなる。そのため、品質が優れているとの印象を購買者や使用者により適切に与えることができる。
【０１３７】
また、おむつ１やパンツ型おむつ１０１の中には、図２４に示すように、水分と接触すると色が変化するインジケーターを有するものがある。このインジケーターは、着用中の使い捨ておむつに尿等の排泄物が排泄されたことを通知するためのものである（なお、図２４には、便宜上、おむつ１の例のみを示している）。
【０１３８】
そして、製造国表示の色は、インジケーターの変化前後のいずれかの色と類似色であることが望ましい。購買者や使用者が、インジケーターの確認をしようとする際には、インジケーターの変化前後の色が何色であるかを知った上で、確認を試みる。つまり、購買者や使用者は、当該変化前後の色を意識した状態で、インジケーターを探すこととなる。そして、製造国表示の色が当該変化前後の色と類似色である場合には、インジケーターを探す際に、製造国表示に気付き易くなる。そのため、品質が優れているとの印象を購買者や使用者により適切に与えることができる。
【０１３９】
なお、「類似色」とは、オスワルド色相環によって分類された２４色の色票で、同じ色票であるか色相番号が１つだけずれた範囲のものと定義される。
【０１４０】
また、おむつ１やパンツ型おむつ１０１の中には、図２５に示すように、製造国表示とは別に使い捨ておむつのブランド名又は製造会社名を示す表示が視認可能に配置されているものがある。そして、製造国表示とブランド名又は製造会社名を示す表示との間で、表示領域、色、双方の表示が文字である場合には、字の大きさ、字体、のいずれかが異なることが望ましい。図２５の例においては、ブランド名又は製造会社名を示す表示のうちの製造会社名表示を示し、当該製造会社名表示は、文字（つまり、製造会社名そのもの）であることとしている。そして、当該例においては、製造国表示と製造会社名表示との間で、表示領域、色、字の大きさ、字体が異なっている（本例では、全てが異なっているが、いずれかが異なっていればよい）。
【０１４１】
製造国表示とブランド名又は製造会社名を示す表示との間で、表示領域、色、双方の表示が文字である場合には、字の大きさ、字体、のいずれかが異なる場合には、双方の間に強弱がついているので、双方を意識しやすい。そのため、品質が優れているとの印象を購買者や使用者により適切に与えることができる。
【０１４２】
また、第十二形態においては、非伸縮域又は弱伸縮域に製造国表示が設けられていたため、製造国表示は、吸収体２１と重なる位置に設けられていることとなる。そして、製造国表示が吸収体２１と重なる位置に設けられる場合には、吸収体２１と重ならない位置（例えば、不織布のみしか存在しない位置）に設けられる場合と比べて、膨らみがあり、かつ、しわが発生しにくい場所に製造国表示が位置することとなるため、購買者や使用者が製造国表示に気付き易くなる。そのため、品質が優れているとの印象を購買者や使用者により適切に与えることができる。
【０１４３】
そして、かかる効果は、製造国表示が吸収体２１と重なる位置に設けられる場合に、必ず生ずるため、製造国表示が吸収体２１と重なる位置に設けられることの有効性は、第十二形態に限定されることなく働く。さらには、使い捨ておむつが、おむつ１の場合であっても、パンツ型おむつ１０１の場合であってもよい。なお、「重なる位置に設けられている」とは、製造国表示全体が吸収体２１と重なっていることまでは要求されず、製造国表示の少なくとも一部が吸収体２１と重なっていればよい。
【０１４４】
また、おむつ１がパッケージ中に封入された状態（換言すれば、パッケージから取り出したときの状態）において、おむつ１の一部（フラップ部等）が折り畳まれている場合に、折り畳まれていない領域に製造国表示が設けられていることが望ましい。その場合には、おむつ１の有する弾性部材と重ならない位置に製造国表示が位置することが望ましい。
【０１４５】
かかる場合には、おむつ１を取り出した際に、製造国表示を認識できる確率が高まる。また、製造国表示が弾性部材と重ならないことで、しわやギャザー等により製造国表示の視認性を下げることを回避することができる。
【０１４６】
また、製造国表示の中心が、おむつ自然状態（各弾性部材が収縮した所謂使い捨ておむつを放置したときの状態を意味する）での製品幅方向Ｗにおける中央から変位した位置（幅方向外側に変位した位置）に設けられていること（換言すれば、シンメトリー（対称）でないこと）が望ましい。
【０１４７】
かかる場合には、使い捨ておむつの配置が、非対称なものとなり、購買者や使用者の目を引き易く、製造国表示が目立つこととなる。
【０１４８】
また、製造国表示は、バックフィルム（本実施の形態においては、防漏シート３０）に設けられていることが望ましい。
【０１４９】
かかる場合には、製造国表示を印刷する際に、バックフィルムは平滑なので印刷物が鮮明になる。
【符号の説明】
【０１５０】
１  おむつ
３  前部、４  前側領域、５  股下部、６  後側領域、７  後部、
１２  最狭部、
１４  フラップ部、１４ａ  最外縁部、１４ｂ  最外端、１４ｃ  外縁部１４ｃ、
１５  レッグギャザー、１５ａ  端、
１６  レッグサイドギャザー、１７  端接合部、
１８  本体部、１８ａ  本体接合部、１８ｂ  端、
１９  糸ゴム、
２１  吸収体、２１ａ  変形誘導部、
２２  トップシート、２３  防漏シート、２４  バックシート、 ２５  コアラップ、
２６  肌側シート、２７  シート状タグ、
２８  ウェストギャザーフィルム、
２９  ターゲットテープ、３０  ファスニングテープ、３０ａ  先端、
３１  係合部、  ３２  固定部、
１０１  パンツ型おむつ、
１０１ａ  胴周り開口、１０１ｂ  脚周り開口、
１１０  吸収性本体、
１１０ａ  一端部、１１０ｂ  他端部、
１３０  背側胴回り部、１３０ａ  背側両縁部、
１４０  腹側胴回り部、１４０ａ  腹側両縁部、
１５０  糸ゴム、１５０ａ  第一糸ゴム、１５０ｂ  第二糸ゴム、
１６０  非伸縮域、１６２  伸縮域、
１７０  後処理テープ、
１７１  係合部、１７１ａ  タグ、１７１ｂ  面ファスナー、
１７２  固定部、
【図１】
2016221236.tif 000003
【図２】
2016221236.tif 000004
【図３】
2016221236.tif 000005
【図４】
2016221236.tif 000006
【図５】
2016221236.tif 000007
【図６】
2016221236.tif 000008
【図７】
2016221236.tif 000009
【図８】
2016221236.tif 000010
【図９】
2016221236.tif 000011
【図１０】
2016221236.tif 000012
【図１１】
2016221236.tif 000013
【図１２】
2016221236.tif 000014
【図１３】
2016221236.tif 000015
【図１４】
2016221236.tif 000016
【図１５】
2016221236.tif 000017
【図１６】
2016221236.tif 000018
【図１７】
2016221236.tif 000019
【図１８】
2016221236.tif 000020
【図１９】
2016221236.tif 000021
【図２０】
2016221236.tif 000022
【図２１】
2016221236.tif 000023
【図２２】
2016221236.tif 000024
【図２３】
2016221236.tif 000025
【図２４】
2016221236.tif 000026
【図２５】
2016221236.tif 000027